(57)【特許請求の範囲】
【請求項１】
原稿を読取位置に搬送する原稿搬送装置と、前記読取位置において搬送中の原稿の画像を読み取る読取手段とを有する画像読取装置であって、前記原稿搬送装置が、前記読取手段を有する画像読取装置本体とは別ユニットとして形成され、前記画像読取装置本体に対して取り付けられる画像読取装置において、
前記原稿搬送装置の一辺の一方の端部に第１取付部、他方の端部に第２取付部がそれぞれ設けられ、
前記第１取付部は前記原稿搬送装置を前記画像読取装置本体に対して変位可能に結合し、
前記第２取付部は、前記第１取付部よりも前記読取位置に近い方の端部にて、前記原稿搬送装置を前記画像読取装置本体に対して回転可能に結合し、
前記原稿搬送装置は、前記第１取付部および前記第２取付部により、前記画像読取装置本体に対して前記一辺を軸に回転して前記読取位置を開放可能に構成され、
前記第１取付部における変位が行われた位置に前記原稿搬送装置を固定する固定手段が設けられたことを特徴とする画像読取装置。
【請求項２】
前記第１取付部において、前記原稿搬送装置を前記画像読取装置本体に対して変位させる変位手段を有することを特徴とする請求項１に記載の画像読取装置。
【請求項３】
前記変位手段は前記原稿搬送装置を変位させる回転可能な調整ねじを有することを特徴とする請求項２に記載の画像読取装置。
【請求項４】
前記第１取付部は前記原稿搬送装置を前記画像読取装置本体に結合する結合部材を有し、前記調整ねじは前記結合部材と前記原稿搬送装置との間に設けられたことを特徴とする請求項３に記載の画像読取装置。
【発明の詳細な説明】
【０００１】
【発明の属する技術分野】
本発明は、スキャナと呼ばれる画像読取装置に関し、複写機、ファクシミリ等においては、かかる画像読取装置が組み込まれて使用される。
【０００２】
【従来の技術】
画像読取装置は多くの場合、原稿の画像を読み取るＣＣＤ等のセンサが設けられた画像読取装置本体と、原稿を読取位置に搬送する原稿搬送装置とが別ユニットとして形成され、画像読取装置本体に対して原稿搬送装置が取り付けられるように構成されている。そして、画像読取装置本体に基準ピンを２本立て、この基準ピンに対応して、原稿搬送装置に孔を設け、この基準ピンを原稿搬送装置の孔に嵌合させることによって、読取装置本体に対する原稿搬送装置の位置が決められ、位置決めされた原稿搬送装置は、ねじによって、その位置に固定されていた。
【０００３】
【発明が解決しようとする課題】
然るに、従来のこのような、原稿搬送装置の位置決め及び固定の方法では、原稿搬送装置を画像読取装置本体に取り付ける部品の誤差や嵌合状態によって、原稿搬送装置の取付位置に誤差を生じ、画像読取上望ましくない現象を起こしている。次にこの現象を図１及び図２を参照して説明する。
【０００４】
原稿の画像を読み取るラインセンサＳＥが設けられている読取装置本体に対して、原稿ＯＲを露光位置に搬送する原稿搬送装置がユニットとして形成されて、読取装置本体に取り付けられる原稿読取装置において、原稿搬送装置の読取装置本体に対する据え付け角度がずれると、ラインセンサＳＥは図１に示すように原稿ＯＲに対して原稿上の水平線からずれ角αをもって斜めに配置されて、矢印Ｘ方向に相対移動して走査する結果となる。
【０００５】
この走査の結果、原稿上の縦線Ｖと横線Ｈからなる長方形は、図２に示すように、縦線Ｖに対して傾斜角αを持った斜線Ｖ１と横線Ｈ，Ｈ１からなる平行四辺形に変形した画像として読み取られる（なお、ずれ角αは実際より大きい値で示している）。
【０００６】
このような現象に対する対策として、従来は、原稿搬送装置を画像読取装置本体に固定している２点におけるねじのそれぞれを緩めて、２点のそれぞれにおいて、原稿搬送装置の位置を調整した後、再度取り付けて固定するという作業が、画像の読取によって再生される画像の傾きを見ながら行われていた。
【０００７】
このような原稿搬送装置の取付方法では、原稿搬送装置の画像読取装置本体に対する位置の調整及び位置の設定の工程に困難を伴い、時間と工数が費やされるという問題があった。
【０００８】
従って、本発明の目的は、前記のような問題を解決して、原稿搬送装置の画像読取装置本体に対する取付が簡便にできる取付構造を持った画像読取装置を提供することにある。
【０００９】
【課題を解決するための手段】
前記の本発明の目的は、
原稿を読取位置に搬送する原稿搬送装置と、前記読取位置において搬送中の原稿の画像を読み取る読取手段とを有する画像読取装置であって、前記原稿搬送装置が、前記読取手段を有する画像読取装置本体とは別ユニットとして形成され、前記画像読取装置本体に対して取り付けられる画像読取装置において、
前記原稿搬送装置の一辺の一方の端部に第１取付部、他方の端部に第２取付部がそれぞれ設けられ、
前記第１取付部は前記原稿搬送装置を前記画像読取装置本体に対して変位可能に結合し、
前記第２取付部は、前記第１取付部よりも前記読取位置に近い方の端部にて、前記原稿搬送装置を前記画像読取装置本体に対して回転可能に結合し、
前記原稿搬送装置は、前記第１取付部および前記第２取付部により、前記画像読取装置本体に対して前記一辺を軸に回転して前記読取位置を開放可能に構成され、
前記第１取付部における変位が行われた位置に前記原稿搬送装置を固定する固定手段が設けられたことを特徴とする画像読取装置、によって達成される。
【００１０】
【発明の実施の形態】
図３、４は本発明の実施の形態が組み込まれたデジタル複写機を示しており、図３は該デジタル複写機の画像読取部の断面図、図４はその平面図である。
【００１１】
複写機はＣＣＤからなるイメージセンサ１４を有する複写機本体Ａと、原稿搬送装置Ｂからなる。原稿搬送装置Ｂは、多数枚の原稿Ｇが載置される給紙トレイ１、給紙トレイ１から一枚づつ原稿を分離して搬送する給紙ローラ２、読取位置を形成し、原稿Ｇを搬送して読取位置を通過させる反転ローラ３、読取位置を通過した原稿を排紙トレイ７に排出する排紙ローラ６を有する。反転ローラ３に沿って原稿を搬送するために、ローラと案内板で構成される案内部材４、５が読取位置の前後に設けられる。
【００１２】
複写機本体Ａには、反転ローラ３とともに読取位置を形成するガラスからなる透光板１０、原稿照明ランプ１１、反射鏡１２、レンズ１３及びラインＣＣＤで構成されるイメージセンサ１４が設けられる。
【００１３】
給紙トレイ１上の原稿Ｇは、給紙ローラ２によって一枚づつ搬送されて、反転ローラ３を経て排紙ローラ６によって、排紙トレイ７に排出される。原稿Ｇの画像は透光板１０を通して原稿照明ランプ１１により照明される。画像は反射鏡１２及びレンズ１３を経てイメージセンサ１４上に結像して、イメージセンサ１４により読み取られる。
【００１４】
原稿搬送装置Ｂは図４における上辺において、結合部材１１０、及び２１０によって、複写機本体Ａに結合される。図５、６に示されように、原稿搬送装置Ｂは複写機本体Ａに固定される固定部２１と、可動部２０とからなる。可動部２０は図１に示す原稿搬送装置の主要部を有し、図４における上辺の軸Ｅ（図５、図６に示す）を中心に回転可能であり、図５、６に矢印Ｄで示すように回転可能であり、この回転によって読取位置が開放される。
【００１５】
固定部２１は可動部２０を複写機本体Ａに結合する原稿搬送装置Ｂの部分であり、結合部材１１０、２１０によって複写機本体Ａに固定される。
【００１６】
複写機本体Ａと結合部材１１０とは、ねじ１１２、１１３によって結合される。また、結合部材１１０と、固定部２１とは段付ねじ１１１とねじ１１５によって結合される。段付ねじ１１１が貫通している結合部材１１０の孔は、該段付ねじ１１１との間に間隔１１０ａが形成されるように構成される。調整ねじ１１４はＥリング１１４ａによって結合部材１１０に結合されたねじであり、固定部材２１の立ち上がり部２１ａに螺合し、その回転によって固定部材２１を矢印Ｃで示すように変位させる変位手段である。
【００１７】
また、複写機本体Ａと結合部材２１０とは、ねじ２１２、２１３によって結合される。固定部２１は段付ねじ２１１とねじ２１５によって結合部材２１０に結合される。段付ねじ２１１と結合部材２１０との間には、段付ねじ１１１と結合部材１１０との間におけるような間隔は形成されない。即ち、固定部２１は結合部材２１０に対しては、段付ねじ２１１を中心に回転することはできるが、変位することはできない。なお、ねじ２１５が嵌入する固定部２１の孔は、固定部２１が段付ねじ２１１を中心に回転することができるように、図６における紙面に直角な方向に余裕を持った長孔に形成される。
【００１８】
原稿搬送装置Ｂの複写機本体Ａに対する取付は次のような工程で行われる。
【００１９】
まず、従来の取付方法に従って、原稿搬送装置Ｂの複写機本体Ａに対する大まかな位置がきめられて、複写機本体Ａと、原稿搬送装置Ｂと、結合部材１１０、２１０とが結合される。そして、ねじ１１２、１１３、２１２、及び２１３を締めて結合部材１１０、２１０を複写機本体Ａに固定する。
【００２０】
次に、画像読取及び画像の再生を行って、再生画像の歪みが測定される。画像の再生は、ハードコピーによる再生でも、或いは、モニタ上での再生でもよい。
【００２１】
測定された歪みの程度に応じて、ねじ１１５及び２１５を緩めた後、ねじ１１４を回して、原稿搬送装置Ｂを段付ねじ２１１を中心に回転して、その角度を調整する。角度の調整が完了したら、ねじ１１５及び２１５を締めて固定部２１を結合部材１１０及び２１５にそれぞれ固定する。
【００２２】
このように、原稿搬送装置Ｂの複写機本体Ａに対する角度の調整は、ねじ１１４によるただ一カ所の調整作業により行われるので、単純、簡便、且つ微調整が行えるものであり、短時間の調整で高精度の調整をすることができる。
【００２３】
【発明の効果】
画像読取装置における、原稿搬送装置の画像読取装置本体に対する角度の調整が簡便にできて、画像読取装置の組立や画像読取装の調整、補修のための工数、時間が短縮される。
【図面の簡単な説明】
【図１】イメージセンサによる原稿の画像の走査状態を説明する図である。
【図２】原稿搬送装置の傾きによる画像の歪みを説明する図である。
【図３】本発明の実施の形態が組み込まれたデジタル複写機の画像読取部の断面図である。
【図４】図３に示すデジタル複写機の平面図である。
【図５】本発明の実施の形態における第１取付部の断面図である。
【図６】本発明の実施の形態における第２取付部の断面図である。
【符号の説明】
１４  イメージセンサ
１１０，２１０  結合部材
１１１，２１１  段付ねじ
１１４  調整ねじ
Ａ  複写機本体
Ｂ  原稿搬送装置
【図１】
0003632145.tif 000002
【図２】
0003632145.tif 000003
【図３】
0003632145.tif 000004
【図４】
0003632145.tif 000005
【図５】
0003632145.tif 000006
【図６】
0003632145.tif 000007